【手続補正書】
【提出日】平成20年1月23日(2008.1.23)
【手続補正１】
【補正対象書類名】特許請求の範囲
【補正対象項目名】全文
【補正方法】変更
【補正の内容】
【特許請求の範囲】
【請求項１】
挿入口から挿入されるディスクが当接することで変位する変位部材と、
前記変位部材の変位を検出する変位検出手段と、
前記変位検出手段の検出結果に基づいて、ディスクの挿入の有無を検知する挿入検知手段とを有するディスク挿入検知装置であって、
前記変位部材は、挿入口を開閉可能なシャッタ部材によって実現されることを特徴とするディスク挿入検知装置。
【請求項２】
前記変位検出手段は、光学センサによって実現されることを特徴とする請求項１記載のディスク挿入検知装置。
【請求項３】
前記変位検出手段は、光を投光する投光部と光を受光する受光部とを有する光学センサによって実現され、
前記変位部材は、予め定められる光反射率を有する反射面が形成され、
前記変位部材がディスクの挿入にともなって変位したときに、前記変位部材の反射面によって、前記投光部から投光された光が前記受光部に入射するように、前記投光部と前記受光部とが配置されることを特徴とすることを特徴とする請求項１または２記載のディスク挿入検知装置。
【請求項４】
予め定められる光反射率を有する反射面が形成され、ディスクが非挿入状態であるときに、前記投光部から投光された光を前記反射面で反射して、前記受光部に入射させる補正部材と、
ディスクが非挿入状態であるときに、前記受光部から出力される出力値が予め定める設定出力値となるように、前記光学センサの出力値を補正する補正手段とをさらに含むことを特徴とする請求項３記載のディスク挿入検知装置。
【請求項５】
光反射性を有する反射面が形成され、ディスクが非挿入状態であるときに、前記投光部から投光された光を前記反射面によって、前記受光部とは異なる方向に反射する反射部材をさらに含むことを特徴とする請求項３記載のディスク挿入検知装置。
【請求項６】
光吸収性を有する吸収部が形成され、ディスクが非挿入状態であるときに、前記投光部から投光された光を前記吸収部で吸収して、前記受光部に前記投光部から投光された光が入射することを阻止する吸収部材をさらに含むことを特徴とする請求項３記載のディスク挿入検知装置。
【請求項７】
前記投光部の投光面と前記受光部の受光面とは、下方に向くようにそれぞれ配置されることを阻止する吸収部材をさらに含むことを特徴とする請求項３〜６のいずれか１つに記載のディスク挿入検知装置。
【請求項８】
ディスク非挿入状態およびディスク挿入状態の少なくとも一方において前記変位検出手段から出力される出力値が、予め定める設定出力値となるように、前記変位検出手段に設定される調整値を補正する補正手段をさらに含むことを特徴とする請求項１〜７のいずれか１つに記載のディスク挿入検知装置。
【請求項９】
前記補正手段は、
前記変位検出手段による出力値が予め定める第１設定出力値となるような第１調整値を決定し、
前記変位検出手段による出力値が予め定める第２設定出力値となるような第２調整値を決定し、
決定した第１調整値と第２調整値とに基づいて、ディスク挿入を検知する際の前記変位検出手段の調整値を補正することを特徴とする請求項８記載のディスク挿入検知装置。
【請求項１０】
前記変位部材は、複数設けられ、
前記変位検出手段は、複数の前記変位部材の変位をそれぞれ個別に検出することを特徴とする請求項１〜９のいずれか１つに記載のディスク挿入検知装置。
【請求項１１】
前記変位検出手段が検出した各変位部材のそれぞれの変位状態に基づいて、挿入口から挿入されるディスクの形状を判断するディスク形状判断手段をさらに有することを特徴とする請求項１０記載のディスク挿入検知装置。
【請求項１２】
複数の前記変位部材には、ディスク非挿入時に位置する標準位置に復帰するような復元力が与えられ、
前記各変位部材は、挿入口から挿入されるディスクが当接することで復元力に抗して、標準位置から変位し、挿入されるディスクの幅方向位置に応じて、ディスクに与える力を異ならせることを特徴とする請求項１０または１１記載のディスク挿入検知装置。
【請求項１３】
複数の変位部材のうち、挿入口の幅方向端部寄りの変位部材は、幅方向中央部寄りの変位部材に比べて、大きい復元力が与えられることを特徴とする請求項１２記載のディスク挿入検知装置。
【請求項１４】
ディスク駆動装置に対して、ディスクの挿入の有無を検知するディスク挿入検知装置であって、
ディスクの挿入の有無に応じた出力値を出力する光学センサと、
センサの出力値と、予め定める設定出力値とに基づいて、ディスク挿入状態を検知する挿入検知手段と、
ディスクが挿入口に挿入されていない状態におけるセンサの初期出力値を取得し、その初期出力値に基づいて、前記設定出力値を設定する設定手段とを含むことを特徴とするディスク挿入検知装置。
【請求項１５】
前記挿入検知手段は、光学センサの出力値が、ディスクが挿入されていると判断する挿入検出領域と、ディスクが挿入されていないと判断する非挿入検出領域と、前記挿入検出領域および前記非挿入検出領域の間となる不感帯とのいずれに属するかを判断して、ディスク挿入状態を検知し、
前記設定手段は、センサの初期出力値に基づいて前記非挿入検出領域および前記不感帯を設定することを特徴とする請求項１４記載のディスク挿入検知装置。
【請求項１６】
前記挿入検知手段は、前記光学センサの投光部から投光された光がディスクの中心に形成されるセンタ穴を検知可能であることを特徴とする請求項１４または１５記載のディスク挿入検知装置。
【請求項１７】
前記挿入検知手段は、ディスクの中心に形成されるセンタ穴とそれ以外とを区別して検知可能であることを特徴とする請求項１６記載のディスク挿入検知装置。
【請求項１８】
ディスクの幅方向寸法を検出する幅方向検出手段と、
挿入口から挿入されるディスクの形状を判断するディスク形状判断手段とをさらに含み、
ディスク形状判断手段は、光学センサから投光された光がディスクのセンタ穴を通過したことを前記挿入検知手段が検知したときに、前記幅方向検出手段によって検出される幅方向寸法に基づいて、ディスクの形状を判断することを特徴とする請求項１６または１７記載のディスク挿入検知装置。
【請求項１９】
請求項１〜１７のいずれか１つに記載のディスク挿入検知装置を有することを特徴とするディスク駆動装置。
【請求項２０】
ディスク駆動装置に対して、ディスクの挿入の有無を検知するディスク挿入検知方法であって、
挿入口から挿入されるディスクが当接することで変位する変位部材と、
前記変位部材の変位に応じた出力値を出力する変位検出手段と、
前記変位検出手段の出力値に基づいて、ディスクの挿入の有無を検知する挿入検知手段とを用い、
前記変位検出手段による出力値が予め定める第１設定出力値となるように、前記変位検出手段の調整値を第１調整値として求めるステップと、
前記変位検出手段による出力値が予め定める第２設定出力値となるように、前記変位検出手段の調整値を第２調整値として求めるステップと、
求めた第１調整値と第２調整値とに基づいて、ディスク挿入を検知する際の前記変位検出手段の調整値を補正するステップとを含むことを特徴とするディスク挿入検知方法。
【請求項２１】
ディスク駆動装置に対して、ディスクの挿入の有無に応じた出力値を出力するセンサを用いて、ディスクの挿入の有無を検知するディスク挿入検知方法であって、
ディスク挿入検知前に、ディスクが挿入口に挿入されていない状態で、前記センサによる初期出力値を求め、その初期出力値に基づいて、ディスクが挿入されていると判断する挿入検出領域と、ディスクが挿入されていないと判断する非挿入検出領域と、前記挿入検出領域および前記非挿入検出領域の間となる不感帯とを設定し、
ディスク挿入検知にあたって、センサの出力値が、設定した挿入検出領域、非挿入検出領域および不感帯のいずれの範囲に属するかに基づいて、ディスク挿入検知を行うことを特徴とするディスク挿入検知方法。
【請求項２２】
ディスクを挿入する挿入口と、
前記挿入口から挿入されたディスクを搬送する搬送ローラと、
前記搬送ローラを駆動するローラ駆動手段と、
搬送されたディスクを軸線まわりに回転させる手段と、
回転するディスクから情報を読取るピックアップと、
挿入口から挿入されるディスクが当接することで変位する変位部材と、
前記変位部材の変位を検出する変位検出手段と、
前記変位検出手段の検出結果に基づいて、ディスクの挿入の有無を検知する挿入検知手段とを有するディスク駆動装置であって、
前記変位部材は、挿入口を開閉可能なシャッタ部材によって実現されることを特徴とするディスク駆動装置。
【手続補正２】
【補正対象書類名】明細書
【補正対象項目名】００１３
【補正方法】変更
【補正の内容】
【００１３】
本発明は、挿入口から挿入されるディスクが当接することで変位する変位部材と、
前記変位部材の変位を検出する変位検出手段と、
前記変位検出手段の検出結果に基づいて、ディスクの挿入の有無を検知する挿入検知手段とを有するディスク挿入検知装置であって、
前記変位部材は、挿入口を開閉可能なシャッタ部材によって実現されることを特徴とするディスク挿入検知装置である。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
また挿入口がシャッタ部材によって塞がれる。ディスクは、挿入時に、その縁辺がシャッタ部材に当接し、シャッタ部材を変位させて隙間を形成し、その隙間を通過して、ディスク駆動装置に収容される。変位検出手段は、シャッタ部材が隙間を形成するときに変位する変位状態を検出する。挿入検知手段は、検出手段の検出結果に基づいてディスクの挿入の有無を検知する。
【手続補正５】
【補正対象書類名】明細書
【補正対象項目名】００６０
【補正方法】変更
【補正の内容】
【００６０】
本発明に従えば、ディスク挿入検知に先駆けて、ディスクが挿入口に挿入されていない状態で、センサの初期出力値を求め、その初期出力値に基づいて、挿入検出領域、非挿入検出領域および不感帯を設定する。これによって挿入されるディスクの反射率および透過率にばらつきがある場合、センサの能力にばらつきがある場合でも、ディスクの挿入状態を精度よく検知することができる。
また本発明は、ディスクを挿入する挿入口と、
前記挿入口から挿入されたディスクを搬送する搬送ローラと、
前記搬送ローラを駆動するローラ駆動手段と、
搬送されたディスクを軸線まわりに回転させる手段と、
回転するディスクから情報を読取るピックアップと、
挿入口から挿入されるディスクが当接することで変位する変位部材と、
前記変位部材の変位を検出する変位検出手段と、
前記変位検出手段の検出結果に基づいて、ディスクの挿入の有無を検知する挿入検知手段とを有するディスク駆動装置であって、
前記変位部材は、挿入口を開閉可能なシャッタ部材によって実現されることを特徴とするディスク駆動装置である。
【手続補正６】
【補正対象書類名】明細書
【補正対象項目名】００６１
【補正方法】変更
【補正の内容】
【００６１】
請求項１および２２記載の本発明によれば、変位部材の変位に基づいて、ディスクの挿入の有無を検知する。ディスクの反射率および透過率のばらつきにかかわらずに、変位部材の変位状態は一定であるので、従来技術のようにディスク自体に光を照射する場合に比べて、ディスクの挿入状態を精度よくかつ容易に検知することができる。たとえばシースルーディスクのように透過率が極めて高いディスクであっても、通常のディスクと同様に、ディスクの挿入状態を判定することができる。
【手続補正７】
【補正対象書類名】明細書
【補正対象項目名】００６２
【補正方法】変更
【補正の内容】
【００６２】
またディスクが挿入口に挿入されるときのシャッタ部材の変位状態に基づいて、ディスクの挿入検知を行う。シャッタ部材は、ディスク駆動装置に予め設けられる場合が多い。シャッタ部材が予め設けられる場合には、ディスク挿入状態を検知するための変位部材を新たに設ける必要がなく、製造コストを低減することができる。またシャッタ部材を設けることによって、埃やごみなどの異物がディスク駆動装置の内部空間に侵入することを防ぐことができる。
【手続補正８】
【補正対象書類名】明細書
【補正対象項目名】００６３
【補正方法】変更
【補正の内容】
【００６３】
また請求項２記載の本発明によれば、光学センサを用いて変位部材の変位状態を検出することで、変位部材に直接接触する接触センサなどを用いる場合に比べて、接触不良、接触部の磨耗などを防ぎ、変位部材の変位を安定して検出することができる。またディスクを挿入する作業者は、ディスクを挿入するのに変位部材を変位させる力以外の力を必要とせず、スムーズにディスクを挿入させることができる。
【手続補正９】
【補正対象書類名】明細書
【補正対象項目名】００６４
【補正方法】変更
【補正の内容】
【００６４】
また請求項３記載の本発明によれば、受光部に入射する光の光量の大小に基づいて、ディスク挿入状態を検知する。変位部材の反射面の反射率を予め定められる値にすることによって、ディスクの反射率や透過率にばらつきがある場合および、シースルーディスクのように透過率が極めて高いディスクであっても、ディスク挿入時とディスク非挿入時とで受光部に入射する光の光量をそれぞれ予め定める値にすることができ、ディスクの挿入状態を精度よく検知することができる。
【手続補正１０】
【補正対象書類名】明細書
【補正対象項目名】００６５
【補正方法】変更
【補正の内容】
【００６５】
また請求項４記載の本発明によれば、投光部または受光部の能力が低下した場合および、投光部または受光部の能力がばらつく場合であっても、受光部から出力される出力値を調整することによって、精度よくディスクの挿入状態を検知することができる。たとえば使用開始から長時間経過して、埃やごみが投光部および受光部に付着する場合、発行能力または受光能力が低下する場合であっても、ディスクの挿入状態の誤検知を防ぐことができ、利便性を向上することができる。また投光部および受光部の能力がばらつく光学センサをディスク挿入検知装置の構成部品として用いることができ、歩留まりを向上することができる。
【手続補正１１】
【補正対象書類名】明細書
【補正対象項目名】００６６
【補正方法】変更
【補正の内容】
【００６６】
また請求項５記載の本発明によれば、反射部材によってディスク非挿入状態に受光部に光が入射することを防ぐので、ディスク挿入状態とディスク非挿入状態とにおける受光部の光量差を大きくすることができ、精度よくディスクの挿入状態を判定することができる。また上述の光量差を大きくすることで、使用開始から時間が経過して、埃やごみが投光部および受光部に付着する場合であっても、ディスクの挿入状態の誤検知を防ぐことができ、利便性を向上することができる。
【手続補正１２】
【補正対象書類名】明細書
【補正対象項目名】００６７
【補正方法】変更
【補正の内容】
【００６７】
また請求項６記載の本発明によれば、吸収部材によってディスク非挿入状態に受光部に光が入射することを防ぐので、ディスク挿入状態とディスク非挿入状態とにおける受光部の光量差を大きくすることができ、精度よくディスクの挿入状態を判定することができる。また上述の光量差を大きくすることで、使用開始から時間が経過して、埃やごみが投光部および受光部に付着する場合であっても、ディスクの挿入状態の誤検知を防ぐことができ、利便性を向上することができる。さらに吸収部材が光を吸収することによって、迷光を少なくすることができ、ディスク非挿入状態で受光部に入射する光の光量をより確実に少なくすることができる。
【手続補正１３】
【補正対象書類名】明細書
【補正対象項目名】００６８
【補正方法】変更
【補正の内容】
【００６８】
また請求項７記載の本発明によれば、投光部の投光面と受光部の受光面とが下方に向くように配置されるので、上方に向くように配置される場合に比べて投光面および受光面に埃やごみが付着することが防がれる。これによって埃やごみの付着に起因する投光部および受光部の能力低下を抑えることができる。
【手続補正１４】
【補正対象書類名】明細書
【補正対象項目名】００６９
【補正方法】変更
【補正の内容】
【００６９】
また請求項８記載の本発明によれば、変位検出手段の出力値を調整することによって、変位検出手段の検出能力のばらつき、および変位検出手段の検出能力の経年変化を補正することができる。これによってディスク挿入状態を正確に検知することができる。
【手続補正１５】
【補正対象書類名】明細書
【補正対象項目名】００７０
【補正方法】変更
【補正の内容】
【００７０】
また請求項９記載の本発明によれば、ディスク挿入検知に先駆けて、第１調整値と第２調整値とを求め、ディスク挿入を検知する際の変位検出手段の調整値を補正する。補正手段によって補正された調整値で変位検出手段の出力値を調整することによって、出力値の変化に対する調整値の変化を知ることができ、変位検出手段は、能力にばらつきがある場合でも、変位部材の変位状態を精度よく検出することができる。これによって挿入検知手段は、ディスクの挿入状態を精度よく検知することができる。
【手続補正１６】
【補正対象書類名】明細書
【補正対象項目名】００７１
【補正方法】変更
【補正の内容】
【００７１】
また請求項１０記載の本発明によれば、複数の変位部材を設けることによって、各変位部材のそれぞれの変位状態に応じて、ディスクの挿入の有無を検知することができる。これによって、ディスクとは異なる形状の異物が挿入されたか、それともディスクが挿入されたかを検知することができ、ディスクの挿入有無の検知を精度よく行うことができる。
【手続補正１７】
【補正対象書類名】明細書
【補正対象項目名】００７２
【補正方法】変更
【補正の内容】
【００７２】
また請求項１１記載の本発明によれば、各変位部材のそれぞれの変位状態に応じて、ディスク形状判断手段が、ディスクの形状を判断する。これによって、ディスクの形状を示す信号をディスク駆動装置に与えることによって、ディスク駆動装置にディスクの形状に応じた動作を行わせることができ、利便性を向上することができる。
【手続補正１８】
【補正対象書類名】明細書
【補正対象項目名】００７３
【補正方法】変更
【補正の内容】
【００７３】
また請求項１２記載の本発明によれば、幅方向の複数の変位部材について、与えられる復元力を異ならせることで、意図しない方向から無理にディスクが挿入されることを防ぐことができ、ディスクが挿入途中でディスク駆動装置内の構成部品に引っ掛かることを未然に防止することができる。
【手続補正１９】
【補正対象書類名】明細書
【補正対象項目名】００７４
【補正方法】変更
【補正の内容】
【００７４】
また請求項１３記載の本発明によれば、ディスク挿入者が特に意識しなくても、ディスクは自然に幅方向中央部から挿入口に引き込まれていく。これによってディスクが幅方向中央部からずれて挿入されることを防ぎ、ディスクの引込みを円滑に行うことができる。またディスクを搬送するために、挿入口形成部に臨んで、幅方向に延びる搬送ローラが設けられる場合、搬送ローラの幅方向中央部がディスクに最初に接触するので、以降の搬送ローラによるディスクの引込みを円滑に行うことができる。
【手続補正２０】
【補正対象書類名】明細書
【補正対象項目名】００７５
【補正方法】変更
【補正の内容】
【００７５】
また請求項１４記載の本発明によれば、センサの初期出力値に応じて、設定出力値を設定することで、センサの能力のばらつきなどにかかわらずに、ディスクの挿入状態の有無を精度よく検知することができる。たとえば設定出力値の範囲として、挿入検出領域、非挿入検出領域および不感帯が設定される。
【手続補正２１】
【補正対象書類名】明細書
【補正対象項目名】００７６
【補正方法】変更
【補正の内容】
【００７６】
また請求項１５記載の本発明によれば、不感帯が設定されることによって、センサの出力値が微量変動した場合に、検知状態が頻繁に切換る状態を防ぐことができ、ひいてはチャタリングを防ぐことができる。また不感帯が設定されることによって、ディスクの透過率および反射率が異なる場合であっても、ディスクの挿入有無の誤検知を防ぐことができる。
【手続補正２２】
【補正対象書類名】明細書
【補正対象項目名】００７７
【補正方法】変更
【補正の内容】
【００７７】
また請求項１６記載の本発明によれば、光学センサの投光部から投光した光がセンタ穴を通過したことを検知することによって、投光部からの光がセンタ穴を通過したことを判断することができ、ディスクの挿入状態を判断することができる。これによって挿入状態の判断結果を利用して、ディスク形状などを判断することができ、ディスク形状に応じた処理を行うことができる。
【手続補正２３】
【補正対象書類名】明細書
【補正対象項目名】００７８
【補正方法】変更
【補正の内容】
【００７８】
また請求項１７記載の本発明によれば、投光部からの光が、センタ穴か、センタ穴以外かのいずれを通過しているかを判断することができ、ディスクの挿入状態の誤判断を防ぐことができる。
【手続補正２４】
【補正対象書類名】明細書
【補正対象項目名】００７９
【補正方法】変更
【補正の内容】
【００７９】
また請求項１８記載の本発明によれば、ディスクの挿入速度にかかわらずに、ディスクの形状を判断することができ、ディスク挿入者のディスク挿入速度のばらつきにかかわらずにディスクの形状を判断することができる。
【手続補正２５】
【補正対象書類名】明細書
【補正対象項目名】００８０
【補正方法】変更
【補正の内容】
【００８０】
また請求項１９記載の本発明によれば、ディスク駆動装置が上述するディスク挿入検知装置を備えることによって、ディスクの挿入状態を確実に判定することができ、ディスク非挿入状態であるのにディスク挿入状態の動作を行うことを防ぐことができる。
【手続補正２６】
【補正対象書類名】明細書
【補正対象項目名】００８１
【補正方法】変更
【補正の内容】
【００８１】
また請求項２０記載の本発明によれば、ディスク挿入検知に先駆けて、第１調整値と第２調整値とを求め、それらに応じて挿入検知の際の変位検出手段の出力値の調整値を補正する。補正手段によって決定された調整値で変位検出手段の出力値を調整することによって、変位検出手段は、能力にばらつきがある場合でも、変位部材の変位状態を精度よく検出することができる。これによって挿入検知手段は、ディスクの挿入状態を精度よく検知することができる。
【手続補正２７】
【補正対象書類名】明細書
【補正対象項目名】００８２
【補正方法】変更
【補正の内容】
【００８２】
また請求項２１記載の本発明によれば、ディスク挿入検知に先駆けて、ディスクが挿入口に挿入されていない状態で、センサの初期出力値を求め、その初期出力値に基づいて挿入検出領域、非挿入検出領域および不感帯を設定する。これによって挿入されるディスクの反射率および透過率にばらつきがある場合、センサの能力にばらつきがある場合でも、ディスクの挿入状態を精度よく検知することができる。
【手続補正２８】
【補正対象書類名】図面
【補正対象項目名】図３４
【補正方法】変更
【補正の内容】
【図３４】
2006202442.tif 000001